(57)【特許請求の範囲】
【請求項１】
一対の戸板を互いに水平回動自在に連結してなる折戸と、
折戸の閉じ際における戸板相互の急激な回動を制動するべく折戸の背面に取り付けられる緩衝装置であって、
前記一対の戸板のうち一方の戸板の他方の戸板との連結端部に取り付けられた取付部材と、
前記一対の戸板のうち他方の戸板の一方の戸板との連結端部に取り付けられた取付部材と、
両取付部材相互の回動を制動するべく一方の取付部材に設けられた制動機構と、を備え、
当該一方の取付部材は、
前記制動機構を収容し水平方向に位置調節可能に保持する保持部と、
前記制動機構の保持位置を調節するための保持位置調節機構と、
前記制動機構の保持位置を視認できるように当該保持部に形成された保持位置視認窓と、を有し、
前記制動機構は、
水平方向に圧縮され反発するダンパと、
ダンパに装着された当接部材と、を備え、
前記保持部は、前記当接部材を進退移動可能に案内しつつ前記ダンパを保持しており、
前記当接部材は、
前記ダンパが伸縮することにより進退移動し且つその先端部が折戸の閉じ際に前記他方の取付部材に当接する部材であり、
当該当接部材が折戸の閉じ際における両取付部材相互の回動に伴って前記他方の取付部材に押圧されることにより前記ダンパが圧縮されるように構成されている緩衝装置。
【請求項２】
前記保持部は、水平方向に延びる筒状の側壁に囲まれた収容空間を有し、当該収容空間内に前記制動機構が摺動可能に挿入され、当該側壁に前記保持位置視認窓が形成されている、請求項１の緩衝装置。
【請求項３】
前記保持位置視認窓は、前記側壁を貫通させて形成された水平方向に延びる長孔であり、
前記当接部材の外側面には突起が設けられ、当該突起が当該長孔内に挿入されている、請求項２の緩衝装置。
【発明の詳細な説明】
【技術分野】
【０００１】
本発明は、シンクキャビネットや吊り戸棚等の建具或いは食器棚、書棚等の家具などに装備される折戸装置に関し、折戸を閉める際の戸板相互の急激な回動を制動する緩衝装置を備えた折戸装置とその緩衝装置に関する。
【背景技術】
【０００２】
折戸は、少なくとも二つの戸板を備え、相隣り合う戸板同士を蝶番を介して互いに水平方向に回動自在に連結するとともに、戸板の上端部をその上方に敷かれたレールにランナを介して移動自在に支持することにより、戸板相互が回動しながら開閉する構造になっている。
【０００３】
このように折戸は戸板相互が回動しながら開閉する構造上、閉めた時に戸板が左右の戸枠に当接するとともに戸板相互の木口面同士が当接する。このため折戸を閉めた際に戸板が最後まで急激に回動すると大きな衝撃音や振動が発生する。この衝撃が折戸や戸枠に繰り返し加わることが部品の損傷や劣化を早める原因となる。また一旦最後まで閉まった戸板が衝撃により跳ね返り、戸板相互が折れ曲がった姿態で半閉まり状態になるという折戸特有の問題もある。この種の問題を解決するには、折戸を閉める際の戸板相互の急激な回動を制動することが有効である。
【０００４】
従来、戸板の閉め際における急激な回動を制動する技術として、蝶番を介して戸板（扉）を取り付けた戸枠（框）の内側側面部に、戸板（扉）の木口面に当接して戸板（扉）の回動を制動する力を及ぼすダンパを埋設したものが知られている。この種のダンパは、戸枠（框）に埋設されたシリンダ内に、戸枠（框）の内側側面から出没するピストンとこれを常時突出させる側に付勢する復元ばねとを備え、戸板（扉）が完全に閉まる寸前に戸板（扉）の木口面がピストンに当接し、復元ばねの反発力に抗してピストンが押されることにより、復元ばねの反発力をピストンを介して戸板（扉）に作用させる（特許文献１）。
【特許文献１】実開昭５３−１６６６１号（実公昭５７−１１１１２号）公報
【発明の開示】
【発明が解決しようとする課題】
【０００５】
上述した従来の技術では、戸枠（框）に埋設されているダンパ装置のピストンに戸板（扉）の木口面を当接させることにより戸板（扉）の閉め際における急激な回動を制動するようにしているため、戸板（扉）の極閉め際すなわち戸板（扉）が完全に閉じられる寸前にならなければ、ダンパによる制動力を戸板（扉）に作用させることができない。ダンパによる制動力が働くタイミングをより早めるためには、戸枠（框）の内側側面からのピストンの突出長を大きくし、ストロークも大きくする必要がある。これはより長寸のダンパが必要になることを意味し、それに合わせてダンパを埋設するための取付穴もより大きくする必要が生じる。
【０００６】
本発明が解決しようとする課題は、折戸の閉じ際における制動力の働く時間及びタイミングを、使用するダンパを長寸化することなく適切に設定でき、且つダンパの保持位置を変えることにより制動力の調節を行うことができる緩衝装置を提供することにある。
【課題を解決するための手段】
【０００７】
上記課題を解決するために、本発明の緩衝装置は、一対の戸板を互いに水平回動自在（水平方向すなわち左右に回動自在）に連結してなる折戸と、折戸の閉じ際における戸板相互の急激な回動を制動するべく折戸の背面に取り付けられる緩衝装置であって、
前記一対の戸板のうち一方の戸板の他方の戸板との連結端部に取り付けられた取付部材と、
前記一対の戸板のうち他方の戸板の一方の戸板との連結端部に取り付けられた取付部材と、
両取付部材相互の回動を制動するべく一方の取付部材に設けられた制動機構と、を備え、
当該一方の取付部材は、
前記制動機構を収容した状態で水平方向に位置調節可能に保持している保持部と、
前記制動機構の保持位置を調節するための保持位置調節機構と、
前記制動機構の保持位置を視認できるように当該保持部に形成された保持位置視認窓と、を有し、
前記制動機構は、
使用時に水平方向に圧縮され反発するダンパと、
ダンパに装着された当接部材と、を備え、
前記保持部は、前記当接部材を進退移動可能に案内しつつ前記ダンパを保持しており、
前記当接部材は、
前記ダンパが伸縮することにより進退移動し且つその先端部が折戸が閉じ際に前記他方の取付部材に当接する部材であり、
当該当接部材が折戸の閉じ際における両取付部材相互の回動に伴って前記他方の取付部材に押圧されることにより前記ダンパが圧縮されるように構成されていることを特徴としている。
【０００８】
本発明の緩衝装置において、前記保持部は、水平方向に延びる筒状の側壁に囲まれた収容空間を有し、当該収容空間内に前記制動機構が摺動可能に挿入され、当該側壁に前記保持位置視認窓が形成されていることが望ましい。
【０００９】
さらに、前記保持位置視認窓は、前記側壁を貫通させて形成された水平方向に延びる長孔であり、前記当接部材の外側面には突起が設けられ、当該突起が当該長孔内に挿入されていることが望ましい。
【発明の効果】
【００１０】
本発明の緩衝装置によれば、折戸の閉じ際における制動力の働く時間及びタイミングを、使用するダンパを長寸化することなく適切に設定でき、ダンパを備えた制動機構の保持位置により制動力を調節することができる。
【発明を実施するための最良の形態】
【００１１】
以下、本発明の実施形態について図面を参照して説明する。
【００１２】
図１は本発明に係る折戸装置の背面図である。図２、図３、図４は本発明の緩衝装置の全体斜視図である。図５（ａ）〜（ｅ）はそれぞれ本発明の緩衝装置の正面図、左側面図、右側面図、上面図、下面図である。図６は図５（ａ）中のＡ−Ａ線に沿って切断した断面を示す断面図である。
【００１３】
折戸装置１は、左右一対の戸板１１、１２を蝶番２１、２２、２３により水平方向に互いに回動自在に連結してなる折戸１０と、折戸１０の上方に敷かれたレール３０と、折戸１０をレール３０に吊り下げた状態でレール３０に沿って移動自在に支持しているランナ４１、４２と、レール３０が取り付けられた矩形状の戸枠５０と、折戸１０の閉じ際における戸板１１、１２相互の急激な回動を制動すべく装備された緩衝装置６０とを備えている。蝶番２１、２２、２３は、折戸用の蝶番として広く用いられている公知の蝶番である。蝶番２１、２２、２３は、いわゆるキャッチ機構を備えており、折戸１０を閉じる際に両戸板１１、１２相互間の角度が略１２５度以上になると、そのキャッチ機構が作動して、折戸１０を強制的に全閉状態に誘導する。緩衝装置６０は、図１の例では、三つの蝶番２１、２２、２３のうち最も高い位置に設けられた蝶番２１と折戸１０の上端縁との中間位置に設けられている。
【００１４】
緩衝装置６０は、一対の戸板１１、１２のうち一方の戸板１１の他方の戸板１２との連結端部に取り付けられる第１取付部材６１と、他方の戸板１２の一方の戸板１１との連結端部に取り付けられる第２取付部材６２と、両取付部材６１、６２を互いに回動自在に連結するヒンジ部６３と、取付部材６１、６２相互の回動を制動するべく第２取付部材６２に設けられた制動機構７０と、を備えている。
【００１５】
第１取付部材６１は、一方の戸板１１に形成された取付穴（図示省略）に嵌め付けられる略円形状の部材本体６１ａと、部材本体６１ａの開放端縁部から上下方向に耳状に張り出したフランジ部６１ｂ、６１ｃとからなる。各フランジ部６１ｂ、６１ｃにはそれぞれ螺子孔６１ｄが形成されており、部材本体６１ａを戸板１１の取付穴に嵌合させた状態で各フランジ部６１ｂ、６１ｃの螺子孔６１ｄに螺子を通して締め付けることにより、第１取付部材６１が戸板１１に固定されている。
【００１６】
第２取付部材６２は、他方の戸板１２に形成された取付穴（図示省略）に嵌め付けられる略円形状の部材本体６２ａと、部材本体６２ａの開放端縁部から上下方向に耳状に張り出したフランジ部６２ｂ、６２ｃとからなる。各フランジ部６２ｂ、６２ｃの上下両端部にもそれぞれ螺子孔６２ｄが形成されており、部材本体６２ａを戸板１２の取付穴に嵌合させた状態でフランジ部６２ｂ、６２ｃの上下の螺子孔６２ｄに螺子を通して締め付けることにより、第２取付部材６２が戸板１２に固定されている。
【００１７】
この例では、第１取付部材６１のフランジ部６１ｂ、６１ｃと第２取付部材６２のフランジ部６２ｂ、６２ｃは、緩衝装置６０を完全に折り畳んで両取付部材６１、６２を重ね合わせたときに両取付部材６１、６２のフランジ部同士が互いに重ならないように互い違いに設けられている。また、各取付部材６１、６２の部材本体６１ａ、６２ａにも、それぞれ螺子孔６１ｅ、６２ｅが形成されている。
【００１８】
ヒンジ部６３は、第１取付部材６１側の連結部に形成された上下一対の軸受部６１ｇ、６１ｈと、第２取付部材６２側の連結部に形成された上下一対の軸受部６２ｇ、６２ｈとを有しており、両取付部材６１、６２の上側の軸受部６１ｇ、６２ｇ同士、下側の軸受部６１ｈ、６２ｈ同士を、それぞれヒンジ軸６３ａ、６３ｂで連結することにより、両取付部材６１、６２を互いに回動自在に連結している。
【００１９】
制動機構７０は、水平方向に圧縮され反発するダンパ７１と、ダンパ７１を収容し保持している保持部７２と、ダンパ７１に装着された当接部材７３とを備えている。
【００２０】
ダンパ７１は、円柱形状のダンパ本体７１ａ（図６参照）と、ダンパ本体７１ａの第１取付部材６１側に臨む端部から突出し水平方向に進退移動する図示しないダンパピン（出力軸）とを備えている。ダンパ７１の本体７１ａ内には、ダンパ７１に対しこれを圧縮する向き、すなわちダンパピンを本体７１ａ側に押し込む向きに作用する力に抗して反発力を発生する図示しないコイルばね（弾性体）と、ダンパピンの急激な動きを緩衝する図示しないオイルダンパ（緩衝体）とが内蔵されている。
【００２１】
保持部７２は、水平方向に延びる円筒状の側壁７２ｗに囲まれた収容空間７２ｓ（図６参照）を有している。保持部７２の第１取付部材６１と重なり合う側の側壁７２ｗは、第２取付部材６２の部材本体６２ａからドーム状に膨出している。保持部７２の第１取付部材６１側に臨む端部７２ａは開放されており、その開口部から収容空間７２ｓ内にダンパ本体７１ａが挿入されている。保持部７２のもう一方の端部７２ｂは他の部分よりも厚い端板壁７２ｃで閉塞されている。端板壁７２ｃには螺子孔７２ｄ（図６参照）が斜めに貫通させて形成されており、この螺子孔７２ｄに止め螺子７２ｅが螺合している。止め螺子７２ｅは螺子孔７２ｄを貫通し、その先端がダンパ本体７１ａの端面に当接しており、保持部７２内への止め螺子７２ｅのねじ込み量を調節することにより、ダンパ７１の水平方向における保持位置を微調節できるようになっている。すなわち、保持部７２の端板壁７２ｃに形成された螺子孔７２ｄとこれに螺合している止め螺子７２ｅとにより保持位置調節機構が構成され、止め螺子７２ｅのねじ込み量をより大きくすることにより、ダンパ７１の保持位置を第１取付部材６１により近い位置に変位させることができ、反対に、止め螺子７２ｅのねじ込み量を小さくすれば、ダンパ７１の保持位置を第１取付部材６１からより遠い位置に変位させることができるようになっている。
【００２２】
第１取付部材６１には、両取付部材６１、６２相互を折戸１０を開く側に回動させて折り畳んだときに制動機構部７０の第２取付部材６２から突出している部分、すなわち保持部７２と当接部材７３とを受け入れる凹部６１ｉが形成されている。
【００２３】
当接部材７３は、ダンパ７１に先端側から被せて取り付けられたキャップ状の部材であり、その胴部７３ｂがダンパ本体７１ａと保持部７２の側壁７２ｗとの隙間にスライド可能に挿入されている（図６参照）。当接部材７３は、折戸１０が閉じられる際の所定のタイミングで第１取付部材６１の第２取付部材６２側の側縁部６１ｆに当接するように、その先端部７３ａの形状及び寸法が選定されている。当接部材７３の先端部内面にはダンパピンが当接している。そして、当接部材７３が折戸１０の閉じ際における両取付部材６１，６２相互の回動に伴って第１取付部材６１に押圧されてダンパピンとともに移動することによりダンパ７１が圧縮されるようになっている。
【００２４】
当接部材７３の胴部７３ｂの外周には突起７３ｃが形成されている。一方、保持部７２には水平方向（当接部材７３の摺動方向）に延びる長孔（保持位置視認窓）７３ｉが、保持部７２の壁を貫通させて形成されている。当接部材７３の突起７３ｃは、保持部７２の長孔７３ｉ内に位置しており、長孔７３ｉを通して保持部７２の外部から視認可能である。すなわち、この突起７３ｃの位置によって制動機構７０の保持位置を概ね確認できるようになっている。また、突起７３ｃが長孔７３ｉの先端側端部に当接することにより、当接部材７３の抜けを防止している。
【００２５】
図７は折戸装置１の開閉時における一連の状態を示す部分斜視図、図８は同じく部分平面図である。図７および図８において、（ａ）は折戸１０が全開の状態であり、この状態から折戸１０を閉める際、（ｂ）および（ｃ）の状態を経て、（ｄ）の状態すなわち折戸１０の折曲角度が略１２５度になった時点で、蝶番２１、２２、２３のキャッチ機構が作動し、その働きにより折戸１０が強制的に（ｅ）の状態すなわち全閉状態まで誘導される。その際、蝶番２１、２２、２３のキャッチ機構の作動開始後から折戸１０が全閉状態になるまでの間の所定のタイミングで、ダンパ装置７１による制動力が効き始める。これにより、折戸１０は閉め際における両戸板１１、１２相互の急激な回動が制動されつつ、全閉状態まで静かに誘導される。
【００２６】
上記のように構成された緩衝装置６０は、折戸１０の閉じ際における制動力の働く時間及びタイミングを、使用するダンパ７１を長寸化することなく適切に設定できる。すなわちこの緩衝装置６０は、水平方向に圧縮され反発するダンパ７１を第２取付部材６２側に装備し、ダンパ７１に装着された当接部材７３が折戸１０の閉じ際における両取付部材６１、６２相互の回動に伴って第１取付部材６１の側縁部６１ｆに押圧されてダンパピンとともに移動することによりダンパ７１が圧縮され、その反発力によって折戸１０の閉じ際における急激な回動を制動するように構成されているため、当接部材７３の形状・寸法、当接部材７３と第１取付部材６１の側縁部６１ｆとの互いの位置関係、ダンパ７１の水平方向における保持位置などを適宜選定することにより、ダンパ７１には何らの変更も加えることなく、制動力の働く時間及びタイミングを適切に設定することができる。
【００２７】
また、保持部７２内への止め螺子７２ｅのねじ込み量を調節することによりダンパ７１の水平方向における保持位置を微調節できるので、緩衝装置６０を折戸１０に取り付けた後においても、制動力の働く時間及びタイミングを微調節することができる。
【００２８】
また、緩衝装置６０の両取付部材６１、６２の形状・寸法を蝶番２１〜２３の両取付部材の形状・寸法と一致させておけば、蝶番２１〜２３を折戸１０に取り付けるための穴加工と全く同じ加工処理により緩衝装置６０用の取付穴を形成することができるので、折戸装置１の製造に要する工数及びコストを削減することができる。これに対し前述の従来技術では、ダンパを取り付けるための取付穴の形状・寸法が蝶番を取り付けるための取付穴の形状・寸法と異なるため、ダンパを取り付けるために蝶番用の取付穴とは異なる穴加工処理を別途実施する必要があり、工数及びコストを削減する上で妨げとなっていた。
【００２９】
なお、上記の例では、ヒンジ部６３を備えた装置構成について説明したが、ヒンジ部６３は本発明の緩衝装置の必須の構成要素ではない。例えば、図９、図１０に示すような、ヒンジ部を有さない、両取付部材６１、６２が互いに分離した構造の緩衝装置も本願発明の緩衝装置に含まれる。
【００３０】
また、上記の例では、上荷重式の折戸装置について説明したが、本発明の緩衝装置は下荷重式の折戸装置に装備しても有効に機能する。
【図面の簡単な説明】
【００３１】
【図１】本発明の緩衝装置を備えた折戸装置の背面図
【図２】図１中の緩衝装置（両取付部材が完全に開いた状態）の全体斜視図
【図３】図１中の緩衝装置（制動力が働き始める臨界状態）の全体斜視図
【図４】図１中の緩衝装置（両取付部材が完全に閉じた状態）の全体斜視図
【図５】（ａ）〜（ｅ）はそれぞれ図１中の緩衝装置の正面図、左側面図、右側面図、上面図、下面図
【図６】図５（ａ）中のＡ−Ａ線に沿って切断した断面を示す断面図
【図７】図１に示す折戸装置の開閉時における一連の状態を示す部分斜視図
【図８】図１に示す折戸装置の開閉時における一連の状態を示す部分平面図
【図９】本発明の緩衝装置の別の形態例を示す正面図
【図１０】本発明の緩衝装置のさらに別の形態例を示す正面図
【符号の説明】
【００３２】
１  折戸装置
１０  折戸
１１  戸板
１２  戸板
２１、２２、２３  蝶番
６０  緩衝装置
６１  第１取付部材（他方の取付部材）
６１ｆ  側縁部
６１ｉ  凹部
６２  第２取付部材（一方の取付部材）
７０  制動機構
７１  ダンパ
７１ａ  ダンパ本体
７２  保持部
７２ｅ  螺子（保持位置調節機構）
７２ｓ  収容空間
７２ｗ  側壁
７３  当接部材
７３ｉ  長孔（保持位置視認窓）
【図１】
0004999001.tif 000002
【図２】
0004999001.tif 000003
【図３】
0004999001.tif 000004
【図４】
0004999001.tif 000005
【図５】
0004999001.tif 000006
【図６】
0004999001.tif 000007
【図７】
0004999001.tif 000008
【図８】
0004999001.tif 000009
【図９】
0004999001.tif 000010
【図１０】
0004999001.tif 000011